(57)【要約】【課題】比較的狭い場所でも使用することができ、反復継続して揺れる床面でも好適に使用することができるオルゴールを提供する。【解決手段】基盤部４と、この基盤部４の上に設けた取付部（４ａ、４ｂ）に３６０度の方向へ揺動自在に取り付けられたところのコイルスプリング３ａを有する自動復帰式の揺動部３と、底板部２ｆと天板部２ｂを有し、底板部２ｆに揺動部３の上部を取り付けてなる筒状の本体部２と、本体部２内に設置され、揺動部３が揺動する際に音声を発生させる音発生手段５と、で構成したことを特徴とする、オルゴールである。【選択図】図２
0003220155.tif 000002
【実用新案登録請求の範囲】
【請求項１】
基盤部と、
この基盤部上に設けた取付部に３６０度の方向へ揺動自在に取り付けられたところのコイルスプリングを有する自動復帰式の揺動部と、
底板部と天板部を有し、前記底板部に前記揺動部の上部を取り付けてなる筒状の本体部と、
前記本体部内に設置され、前記揺動部が揺動する際に音声を発生させる音発生手段と、で構成したことを特徴とする、オルゴール。
【請求項２】
前記基盤部が平板状であることを特徴とする、請求項１に記載のオルゴール。
【請求項３】
前記基盤部に磁石が取り付けられていることを特徴とする、請求項１又は２に記載のオルゴール。
【請求項４】
前記基盤部が吸盤であることを特徴とする、請求項１に記載のオルゴール。
【請求項５】
前記コイルスプリングからなる揺動部は、外周に可撓性材質の筒部が取り付けられていることを特徴とする、請求項１〜４の何れか一項に記載のオルゴール。
【請求項６】
前記コイルスプリングから成る揺動部を基盤部に取り付ける取付部にはくびれ部が設けられ、このくびれ部に揺動部の下端部が係合されていることを特徴とする、請求項１〜５の何れか一項に記載のオルゴール。
【請求項７】
前記本体部の底板部には、前記コイルスプリングから成る揺動部の上端部を挿入する取付孔が設けられ、この取付孔の内周には前記揺動部をネジ着させる螺旋部が設けられていることを特徴とする、請求項１〜６の何れか一項に記載のオルゴール。
【請求項８】
前記本体部の外側には前記本体部を収容する収容部が設けられた外包囲体が取り付けられていることを特徴とする、請求項１〜７の何れか一項に記載のオルゴール。
【請求項９】
前記外包囲体の外表面には図柄や絵、人形などの装飾部が設けられていることを特徴とする、請求項８に記載のオルゴール。
【請求項１０】
前記外包囲体が合成樹脂成型品であることを特徴とする、請求項９に記載のオルゴール。
【請求項１１】
前記合成樹脂成型品が発泡スチロールの成型品であることを特徴とする、請求項１０に記載のオルゴール。
【請求項１２】
前記外包囲体が紙製であることを特徴とする、請求項９に記載のオルゴール。
【考案の詳細な説明】
【技術分野】
【０００１】
本考案は、オルゴールに関し、特に揺動手段付きのオルゴールに関するものである。
【背景技術】
【０００２】
従来から、起き上がり小法師のように揺動する動作により使用者を楽しませる玩具が、古くから広く世間に普及している。起き上がり小法師は、一般的に、球体状を呈した中空の玩具本体の外側の面に絵や図形や模様が施されており、卓上に置いて軽く押して手を放すと、何回か半径方向のいずれの方向に揺動した後、錘体の力で元位置に戻って静止するものである。
【０００３】
起き上がり小法師は、遊戯性を高めるため、様々なものが提案されている。例えば、特許文献１には、内部に音発生装置や錘体を収容させており、揺動した際に音発生装置からカランコロンという様々に音程の異なる音が生じる起き上がり小法師が提案されている。
【先行技術文献】
【特許文献】
【０００４】
【特許文献１】実用新案登録第３１９４７８９
【考案の概要】
【考案が解決しようとする課題】
【０００５】
しかし、起き上がり小法師は、使用されるごとに僅かに位置がずれることがある。そのため、起き上がり小法師が使用されるのは、比較的広い机の天板等で使用されていた。
また、起き上がり小法師が載置される面が水平でなければ、安定して使用することができなかった。
そのため、使用者からは、使用する場所の制限を受けずに、音発生装置から生じる音を楽しみたいという要望があった。
以上より、本考案が解決しようとする課題は、比較的狭い場所でも使用することができる揺動手段付きのオルゴールを提供することである。
【課題を解決するための手段】
【０００６】
上記目的を達成するために本考案に係るオルゴールは、基盤部と、この基盤部上に設けた取付部に３６０度の方向へ揺動自在に取り付けられたところのコイルスプリングを有する自動復帰式の揺動部と、底板部と天板部を有し、底板部に前記揺動部の上部を取り付けてなる筒状の本体部と、本体部内に設置され、揺動部が揺動する際に音声を発生させる音発生手段と、で構成したことを特徴とする、オルゴール。
【０００７】
基盤部が平板状であることが好ましい。
【０００８】
基盤部に磁石が取り付けられていることが好ましい。
【０００９】
前記基盤部が吸盤であることが好ましい。
【００１０】
コイルスプリングからなる揺動部は、外周に可撓性材質の筒部が取り付けられていることが好ましい。
【００１１】
コイルスプリングから成る揺動部を基盤部に取り付ける取付部にはくびれ部が設けられ、このくびれ部に揺動部の下端部が係合されていることが好ましい。
【００１２】
本体部の底板部には、コイルスプリングから成る揺動部の上端部を挿入する取付孔が設けられ、この取付孔の内周には揺動部をネジ着させる螺旋部が設けられていることが好ましい。
【００１３】
本体部の外側には本体部を収容する収容部が設けられた外包囲体が取り付けられていることが好ましい。
【００１４】
外包囲体の外表面には図柄や絵、人形などの装飾部が設けられていることが好ましい。
【００１５】
外包囲体が合成樹脂成型品であることが好ましい。
【００１６】
合成樹脂成型品が発泡スチロールの成型品であることが好ましい。
【００１７】
外包囲体が紙製であることが好ましい。
【考案の効果】
【００１８】
本考案は、以上のように構成したので、比較的狭い場所でも使用することができ、反復継続して揺れる床面でも好適に使用することができるオルゴールを提供することができる。
【図面の簡単な説明】
【００１９】
【図１】本考案に係る揺動手段付きオルゴールの正面図である。
【図２】図１に示した揺動手段付きオルゴールの分解斜視図である。
【図３】（ａ）は、図１に示した揺動手段付きオルゴールの本体部の縦断面図、（ｂ）は、本体の底面図である。
【図４】（ａ）は、図１に示した揺動手段付きオルゴールの収容物を入れる前の基盤部の斜視図、（ｂ）収容物を入れた後の基盤部の斜視図である。
【図５】（ａ）、（ｂ）及び（ｃ）は、起き上がり小法師の使用状態を説明するための説明図であり、時系列順に並んでいる。
【図６】本考案に係る揺動手段付きオルゴールの第２実施形態の正面図である。
【図７】本考案に係る揺動手段付きオルゴールの第３実施形態の分解斜視図である。
【図８】本考案に係る揺動手段付きオルゴールの第３実施形態の正面図である。
【考案を実施するための形態】
【００２０】
以下、図面を参照しつつ、本考案に係るオルゴールの第１実施形態について説明する。
【００２１】
〔第１実施形態〕
オルゴール１は、図１及び図２に示すように、中空の本体部２と、本体部２の中空に配置される音発生手段５と、本体部２と繋がる揺動部３と、揺動部３と繋がり床面Ｆに着脱可能に固定される基盤部４と、を有する。
【００２２】
オルゴール１は、図１に示すように、例えば机の天板等の床面Ｆに着脱可能に固定された静止状態で、その上下を貫通する軸方向に直交する半径方向において、３６０°のいずれかの方向から本体部２に外力が加えられたり、地震等により床面Ｆが揺れたりすることにより揺動して、揺動により音声を発生させながら自然に揺動幅を減少させて、元の静止状態に戻るものである。
【００２３】
オルゴール１は、図１に示すように、基盤部４が床面Ｆに固定されることで、基盤部４の位置が使用するごとに変わらない。このため、オルゴール１は、基盤部４を固定できる程度の面積があれば、継続して使用することができる。
また、床面Ｆの揺れにより本体部２を揺動させて、音を発生させることができる。
【００２４】
以下に、オルゴール１を構成する各要素について説明する。
なお、本明細書において、オルゴール１が固定されている床面Ｆ側を軸方向の下側とし、その反対側を軸方向の上側とするが、下側と上側は相対的なものである。
【００２５】
＜本体部２＞
本体部２は、内部に音発生手段５を収容するためのものである。
本体部２は、図２に示すように、上端から下端が同じ直径の円筒状の筒部２ａと、筒部２ａの外周面に形成された第一装飾部２ｈと、本体部２の上側の開口部に取付けられた天板部２ｂと、本体部２の下側の開口部に取付けられた底板部２ｆと、を有する。
筒部２ａは、厚紙により形成されているが、軽い素材であれば、例えば合成樹脂などで形成されていてもよい。
【００２６】
第一装飾部２ｈは、使用者に美感を惹起させたり、情報を伝達したりするためのものである。
第一装飾部２ｈは、図１に示すように、筒部２ａの外周面に表装シートが貼られて形成されている。
第一装飾部２ｈには、絵図若しくは文字、又はその両方が施されている。これらは、使用者に美感を与える目的や、情報を伝達する目的で施されている。使用者に美感を与えるための絵図や文字が施されている場合は、静止している状態であっても、置物として用いることができる。
【００２７】
第一装飾部２ｈに施されている絵図は、使用する対象により絵図等を変更することができる。例えば、使用する対象として乳児や幼児を想定した場合には、昔話の登場人物等、乳児や幼児が興味を引く絵図にすることができる。また、使用する対象として成人を想定した場合には、対象とする成人の美感を惹起するデザイン等にすることができる。
【００２８】
第一装飾部２ｈに施されている文字は、必要な情報を提供するために、漢字やローマ文字等の文字の種類や、書体や、大きさを適宜変更して用いることができる。
【００２９】
第一装飾部２ｈにより伝達される情報としては、例えば、室内で家具などに固定されるものには、地震発生時の初期動作の情報が挙げられる。
具体的には、「地震発生！机の下に隠れましょう！」等の文字や人間が机の下に隠れている絵図等が挙げられる。これにより、所定の大きさの地震が発生したときに、床面Ｆの揺れにより本体部２が揺動して音が発生しているオルゴール１を見ることで、地震発生時の初期動作を使用者に再認識させることができる。
また、自動車の内部に固定されるものには、運転手に安全運転を意識させる情報が挙げられる。例えば、「安全運転！」等の文字が挙げられる。これにより、運転手が、急発進や急ブレーキをしてしまった場合に、安全運転を再認識させることができる。
【００３０】
第一装飾部２ｈは、所定の絵図や文字が印刷されシート状に形成された熱可塑性樹脂により形成されたシート状物でもよく、和紙や織布等でもよい。第一装飾部２ｈが和紙や織布により形成されている場合には、その材質や柄により、使用者に美感を与えることができる。
【００３１】
なお、本実施形態において、第一装飾部２ｈは、筒部２ａの外周面に表装シートが貼られて形成されているが、筒部２ａの外周面に塗料が塗布されて形成されていてもよい。
【００３２】
天板部２ｂは、図２及び図３（ａ）に示すように、円環状に形成されている。
天板部２ｂは、筒部２ａの上側の開口部を塞ぐように取り付けたときに、側周面が、筒部２ａの上端側の内周面と接触するように形成されている。
具体的には、天板部２ｂは、外径が、筒部２ａの上側の開口部の内径と同じか、僅かに小さい。これにより、天板部２ｂを筒部２ａに中間ばめの状態で係合させることができる。
【００３３】
天板部２ｂは、図３（ａ）に示すように、その表裏の中央を貫通する挿入孔２ｃが形成されている。
挿入孔２ｃには、吊下げ部材２ｄの基端側が挿入されている。
【００３４】
吊下げ部材２ｄは、後述する音発生手段５を構成する打撃槌部５ｈを吊り下げるための吊り紐５ｉが取付けられる。
吊下げ部材２ｄは、回転したり揺動したりしないように、その基端が天板部２ｂに固定されている。これにより、吊下げ部材２ｄが回転したり動いたりすることにより、音質が変化するのを防ぐことができる。
【００３５】
吊下げ部材２ｄの先端には、図２及び図３（ａ）に示すように、吊り紐５ｉを挿通するための環状の挿通孔２ｅが形成されている。
挿通孔２ｅの内径は、吊り紐５ｉの直径よりも大きい。このため、本体部２が揺動した際に、その揺動により吊り紐５ｉを揺動させることができる。
【００３６】
吊り紐５ｉを介して打撃槌部５ｈが取り付けられた天板部２ｂは、その側壁の外周面が筒部２ａに当接された状態で、その重合部分が接着剤で接着される。
【００３７】
天板部２ｂは、厚紙により形成されているが、軽い素材であれば、例えば合成樹脂などで形成されていてもよい。
【００３８】
底板部２ｆは、図２、図３（ａ）及び図３（ｂ）に示すように、円環状に形成されている。
底板部２ｆは、筒部２ａの下側の開口部を塞ぐように取り付けたときに、外周面が、筒部２ａの下端側の内周面と接触するように形成されている。
具体的には、底板部２ｆは、外径が、筒部２ａの下側の開口部の内径と同じか、僅かに小さい。これにより、底板部２ｆを筒部２ａに中間ばめの状態で係合させることができる。
底板部２ｆは、その表裏の中央を貫通する取付孔２ｇが形成されている。
【００３９】
取付孔２ｇは、後述する揺動部３であるコイルバネ３ａの一端が挿入されるためのものである。
取付孔２ｇは、図２及び図３（ａ）に示すように、上側の開口と繋がる小径部２ｓと、下側の開口と繋がる大径部２ｍと、小径部２ｓと大径部２ｍとを繋ぐ段差２ｎと、を有する。
【００４０】
大径部２ｍは、図３（ａ）に示すように、下側の開口の近傍から下側の開口に向けて次第に直径が大きくなるように形成されている。
大径部２ｍは、漸次その直径が拡大して傾斜面を形成していてもよく、階段状に形成されていてもよい。
大径部２ｍが形成されていることにより、取付孔２ｇにコイルバネ３ａが挿入されたときに、図５に示すように、溝２ｐが形成される。この溝２ｐは、コイルバネ３ａを本体部２に固定するために用いられる。具体的には、少なくとも溝２ｐの内部に、熱可塑性樹脂２ｒなどが充填され、底板部２ｆにコイルバネ３ａが固定される。溝２ｐは、環状に形成される。
【００４１】
段差２ｎは、図３（ａ）に示すように、大径部２ｍの上側の端から半径方向の内側に伸びて小径部２ｓの下側の端に繋がるように形成されている。つまり、段差２ｎは、図３（ｂ）に示すように、平面視で円環状に形成されている。
段差２ｎが形成されているとことにより、取付孔２ｇにコイルバネ３ａが挿入されると、溝２ｐは、図５に示すように、側面視で台形状に形成される。これにより、大径部２ｍが小径部２ｓと繋がっている場合に形成されるハンダ溝に比べて、溝２ｐの内部に設置できる熱可塑性樹脂２ｒの量を増やすことができ、より確りとコイルバネ３ａを本体部２に固定することができる。
なお、コイルバネ３ａを本体部２に固定できるのであれば、段差２ｎが形成されずに、大径部２ｍが小径部２ｓと直接繋がっていてもよい。
【００４２】
小径部２ｓは、その内径がコイルバネ３ａの半径方向の直径と略等しい。
小径部２ｓは、図３（ｂ）に示すように、その内周面に、揺動部３のコイルバネ３ａをネジ着させるための螺旋部が形成されている。螺旋部は、コイルバネ３ａを揺動部３の一端側と軸方向に係合する第一係合部である第一係合突起２ｉと、第二係合突起２ｊと、を有している。
第一係合突起２ｉと第二係合突起２ｊは、周方向に略１８０度位置が異なる他は、その構成が同じであるため、第一係合突起２ｉを用いて、第一係合突起２ｉと第二係合突起２ｊについて説明する。
【００４３】
第一係合突起２ｉは、図３（ｂ）に示すように、平面視で円弧状に形成されており、一端２ｉａと、一端２ｉａよりも時計方向の下流側に他端２ｉｂを有している。
第一係合突起２ｉは、図３（ａ）に示すように、側面視で、一端２ｉａよりも他端２ｉｂが上側に位置するように、螺旋状に形成されている。つまり、第一係合突起２ｉは、右巻きの螺旋状に形成されている。そのため、後述する右巻きのコイルバネ３ａを、その一端を取付孔２ｇに挿入して、時計方向に回すと、コイルバネ３ａの取付孔２ｇに挿入した側の一端３ｂが、一端２ｉａと当接する。そして、コイルバネ３ａをさらに時計方向に回すと、第一係合突起２ｉの上側の面にガイドされて、一端３ｂが他端２ｉｂに達する。これにより、コイルバネ３ａが取付孔２ｇに係止される。
これにより、床面Ｆが横方向だけでなく縦方向に揺れる場合でも、第一係合突起２ｉがコイルバネ３ａと軸方向に係合していることにより、本体部２が抜けるのを防止できる。
【００４４】
第二係合突起２ｊは、図３（ｂ）に示すように、平面視で、一端２ｊａと他端２ｊｂを有している。そして、第二係合突起２ｊも、第一係合突起２ｉと同様に、一端２ｊａよりも他端２ｊｂが上側に位置するように、螺旋状に形成されている。
本実施形態において、コイルバネ３ａと係合する突起が一つではなく、第一係合突起２ｉと第二係合突起２ｊの二つ形成されていることにより、コイルバネ３ａは、どちらかにより取付孔２ｇと係合することができる。
【００４５】
底板部２ｆは、図３（ａ）に示すように、上面の周縁部に、後述する振動発音棒５ａ〜５ｆの下端が挿入される挿入穴２ｋが、所定の間隔を隔てて環状に、振動発音棒の数だけ形成されている。つまり、底板部２ｆは、揺動部３と連結する機能だけでなく、振動発音棒５ａ〜５ｆの安定保持部材としての機能も有する。このように、底板部２ｆに、揺動部３と連結する機能とともに、安定保持部材としての機能を持たせることにより、部品点数を減らすことができ、製造コストを抑えることができる。
【００４６】
底板部２ｆは、熱可塑性樹脂により形成されている。熱可塑性樹脂は色を有するものでもよく、透明又は半透明のものでもよい。底板部２ｆの形成に用いられる熱可塑性樹脂としては、公知のものを適宜用いることができる。なお、底板部２ｆは、挿入穴２ｋを形成することができるものであれば、紙製でも金属製でもよい。
【００４７】
＜音発生手段５＞
音発生手段５は、オルゴール１が揺動したときに、音を発生させるためのものである。
音発生手段５は、図２に示すように、環状に配置される振動発音棒５ａ〜５ｆと、振動発音棒５ａ〜５ｆよりも半径方向の内側に揺動可能に配置された打撃槌部５ｈと、打撃槌部５ｈを本体部２の内部に吊り下げるための吊り紐５ｉとを有する。
【００４８】
振動発音棒５ａ〜５ｆは、図２及び図３（ａ）に示すように、それぞれの長さが異なっている。
具体的には、本実施形態では、振動発音棒５ａが一番長く形成され、振動発音棒５ｆが一番短く形成され、振動発音棒５ａから振動発音棒５ｆまで、これらの６つの振動発音棒の長さが次第に短くなるように形成されている。
振動発音棒５ａ〜５ｆは、振動発音棒５ａから順に、振動発音棒５ｆまで、時計回りに配置されている。
振動発音棒５ａ〜５ｆは、本体部２の内部で、下端が底板部２ｆに形成された挿入穴２ｋに挿入されて固定されている。
【００４９】
打撃槌部５ｈは、金属製であり、図２に示すように、円盤状に形成されている。
打撃槌部５ｈの上面には、吊り紐５ｉの一端が取付けられている。
打撃槌部５ｈは、半径方向において、３６０度のいずれの方向にも揺動可能に吊り紐５ｉに吊下げられている。
【００５０】
吊り紐５ｉは、図３（ａ）に示すように、一方が打撃槌部５ｈに固定されている。そして、他方は、その端付近が折り曲げられて折り曲げ部が形成され、その折り曲げ部が天板部２ｂに設けられた吊下げ部材２ｄの挿通孔２ｅに貫通されている。これにより、吊り紐５ｉは、図３（ａ）に示すように、天板部２ｂに吊り下げられている。
【００５１】
吊り紐５ｉの長さは、オルゴール１を揺動させたときに、心地よい音が発生するように、振動発音棒５ａ〜５ｆと打撃槌部５ｈが、軸方向の所望の位置で接触できる長さとなっている。そして、吊り紐５ｉは、金属製であり、打撃槌部５ｈが揺動したときに撓むことがないので、打撃槌部５ｈを振動発音棒５ａ〜５ｆと軸方向の所望の位置で接触させることができる。
【００５２】
以上のように構成される音発生手段５は、図５（ａ）〜（ｃ）に示すように、本体部２の揺動時に、打撃槌部５ｈが本体部２の揺動方向により振動発音棒５ａ〜５ｆの何れかに当接する。そして、静止状態になるまで、所定の大きさで本体部２が揺動するごとに、振動発音棒５ａ〜５ｆの何れかに打撃槌部５ｈが当たることにより、様々な音の組合せを生じさせる。
【００５３】
＜揺動部３＞
揺動部３は、基盤部４が床面Ｆに着脱可能に固定された状態で、本体部２を揺動させるためのものである。
揺動部３は、図１に示すように、コイルバネ３ａと、コイルバネ３ａが挿入される筒部３ｄと、を有する。
【００５４】
コイルバネ３ａは、図５に示すように、その外径が底板部２ｆの取付孔２ｇの小径部２ｓの内径と略同じになるように、環巻、つまり環状に巻かれている。本実施形態では、コイルバネ３ａは右巻きのコイルバネである。
コイルバネ３ａの巻回ピッチは、本体部２をどの程度揺動させるかにより、適宜決定することができる。
コイルバネ３ａは、基盤部４に、３６０度のいずれの方向へ揺動自在に取り付けられている。
【００５５】
筒部３ｄは、図１及び図２に示すように、コイルバネ３ａを収容する収容部３ｅを有する。収容部３ｅの半径方向の直径は、コイルバネ３ａの半径方向の外径よりも僅かに大きく形成されている。
筒部３ｄは、軸方向の長さが、本体部２と基盤部４の間の距離に略等しい。
筒部３ｄには、可撓性を有する樹脂が用いられる。
【００５６】
＜基盤部４＞
基盤部４は、オルゴール１を床面Ｆに固定させるためのものである。
基盤部４は、図１及び図２に示すように、コイルバネ３ａの内側に挿入される大径部４ａと、大径部４ａの下側と繋がる小径部４ｂと、小径部４ｂの下側と繋がり、床面Ｆと当接する当接部４ｃと、当接部４ｃの内部に収容され、永久磁石４ｒ等により構成される収容物４ｊと、を有する。
大径部４ａと、小径部４ｂと、当接部４ｃは、熱可塑性樹脂により形成されている。
大径部４ａと、小径部４ｂとにより、コイルバネ３ａを基盤部４に取付けるための取付部が構成されており、大径部４ａと小径部４ｂの直径の違いにより、取付部にくびれ部が形成されている。
【００５７】
大径部４ａは、その外径が、コイルバネ３ａの内径よりも僅かに大きく、小径部４ｂは、その外径が、コイルバネ３ａの内径よりも小さい。これにより、大径部４ａと小径部４ｂとにより形成されるくびれ部が、揺動部３と軸方向に係合する第二係合部として機能する。
具体的には、大径部４ａがコイルバネ３ａの内側に圧入され、さらにコイルバネ３ａの内側に小径部４ｂまで挿入されると、小径部４ｂにおいてコイルバネ３ａの内径が元に戻ることにより、コイルバネ３ａが基盤部４に係合される。
これにより、床面Ｆが横方向だけでなく縦方向に揺れる場合でも、大径部４ａがコイルバネ３ａと軸方向に係合していることにより、コイルバネ３ａが基盤部４から抜けるのを防止できる。
【００５８】
当接部４ｃは、図２に示すように、収容物４ｊを収容できる収容空間４ｄと、収容空間４ｄに収容物４ｊを収容するための収容口４ｅと、を有する。
当接部４ｃは、下側に収容口４ｅを有する筒状に形成されており、その内空により収容空間４ｄが形成されている。
【００５９】
収容空間４ｄは、図４（ａ）に示すように、その内部に、収容物４ｊを当接部４ｃに取付けるための取付部４ｆが形成されている。
取付部４ｆは、後述するケース４ｋの係合孔４ｐと永久磁石４ｒの挿通孔４ｓの小径部４ｔに挿入できるように、収容口４ｅと対向する上側の面から下側に伸びて形成されている。
具体的には、取付部４ｆは、上側の面に平面視で略正方形の平板状に形成された隆起部４ｇと、隆起部４ｇの主面の略中央に形成された柱部４ｈと、により形成されている。
柱部４ｈの先端には、ねじ穴４ｉが形成されている。ねじ穴４ｉは、柱部４ｈと隆起部４ｇを貫通して、当接部４ｃの中程まで形成されている。これにより、後述する永久磁石４ｒの挿通孔４ｓの小径部４ｔに柱部４ｈを挿入させた状態で、ねじ４ｗをねじ穴４ｉに螺合させると、永久磁石４ｒを当接部４ｃに固定することができる。
【００６０】
収容口４ｅは、図４（ａ）及び図４（ｂ）に示すように、収容空間４ｄに収容物４ｊを収容できるように形成されている。
収容口４ｅは、図１に示すように、収容空間４ｄに収容物４ｊが収容された状態でテープ４ｘにより塞がれている。
【００６１】
収容物４ｊは、図２に示すように、永久磁石４ｒと、永久磁石４ｒを収容するケース４ｋと、を有する。
永久磁石４ｒは、ケース４ｋに収容されて、収容空間４ｄに挿入される。
【００６２】
永久磁石４ｒは、図２に示すように、円板状に形成されており、表裏を貫通する挿通孔４ｓが形成されている。挿通孔４ｓは、図４（ｂ）に示すように、下側の面と繋がる大径部４ｕと、図２に示すように、大径部４ｕと繋がる小径部４ｔと、を有する。
【００６３】
小径部４ｔは、その内径が、取付部４ｆの柱部４ｈの外径よりも大きく形成されている。
小径部４ｔは、その軸方向の長さが、取付部４ｆの柱部４ｈの軸方向の長さと略等しく形成されている。これにより、柱部４ｈを小径部４ｔに挿入させると、ねじ穴４ｉが大径部４ｕの上側の端の近傍に位置することになる。そのため、ねじ穴４ｉにねじ４ｗをねじ込んで、大径部４ｕにねじ４ｗの頭を到達させると、ねじ４ｗを確りとねじ穴４ｉに螺合させることができる。
【００６４】
大径部４ｕは、図４（ｂ）に示すように、座金４ｖを取り付けたねじ４ｗをねじ穴４ｉに螺合させたときに、座金４ｖとねじ４ｗの頭を収容できるように形成されている。具体的には、その軸方向の長さが、ねじ４ｗの頭と座金４ｖの両方の軸方向の高さよりも高く形成され、小径部４ｔと繋がっている側の開口から、反対側の開口に向けて、次第に直径が大きくなるように形成されている。
これにより、収容物４ｊを収容空間４ｄの内部で当接部４ｃに固定するために、ねじ４ｗをねじ穴４ｉに螺合させると、ねじ４ｗの頭や座金４ｖが大径部４ｕに収容されるので、収容空間４ｄから飛び出るのを防ぐことができる。
【００６５】
座金４ｖは、平面視で円環状であり、図２に示すように、大径部４ｕの形状に合わせて皿型に形成されており、内側の縁が外側の縁よりも上側に位置している。
【００６６】
ケース４ｋは、図２に示すように、上面４ｍと、上面４ｍの縁から下側に伸びる環状の側壁４ｎと、を有し、この形状により中空が形成されている。この形成されている中空に、永久磁石４ｒが収容される。
上面４ｍには、取付部４ｆの隆起部４ｇと周方向に回転しないように係合する係合孔４ｐが形成されている。具体的には、係合孔４ｐは、隆起部４ｇが平面視で正方形に形成されているのに合わせて、平面視で正方形に形成されている。
ケース４ｋは、磁性を有する金属材料により形成されている。そのため、ケース４ｋに収容された永久磁石４ｒが、ケース４ｋから抜け出ないようにすることができる。
【００６７】
永久磁石４ｒは、ケース４ｋに収容できる形状のものが適宜選択される。本実施形態では、円板状のものが用いられている。
【００６８】
収容物４ｊが収容空間４ｄに収容されると、収容口４ｅがテープ４ｘにより閉じられる。テープ４ｘは、収容口４ｅを閉じた状態を維持できるのであれば、薄いものが好ましい。それにより、オルゴール１を床面Ｆに置いたときに、床面Ｆと永久磁石４ｒの距離を短くすることができ、より確りとオルゴール１を床面Ｆに固定することができる。
【００６９】
以上のように構成されるオルゴール１は、所望の揺動で音を発生するように調節することができる。
具体的には、オルゴール１は、発生する音を楽しむことを目的として使用される場合と、発生する音により使用者又は第三者に何らかの情報を伝達することを目的として使用される場合が想定される。そして、後者を目的として使用する場合に、所望の揺動で音を発生するように調節される。
例えば、室内で使用する場合には、所定の震度の地震が発生して床面Ｆが揺れたときに音が発生するように調節することができる。これにより、地震のときに音が発生させることができ、使用者の注意を惹起することができる。
また、自動車の車内で使用する場合には、急発進や急ブレーキのときに予想される床面Ｆの揺れにより、音が発生するように調節することができる。これにより、急発進や急ブレーキがされたときに、使用者に安全運転するように注意を喚起することができる。
【００７０】
＜オルゴール１により奏される効果＞
次にオルゴール１により奏される効果について説明する。
オルゴール１は、基盤部４が床面Ｆに着脱可能に固定される。このため、基盤部４を固定できる程度の面積があれは、継続して使用することができる。
【００７１】
また、本体部２は、揺動部３のコイルバネ３ａの一端側と軸方向に係合する第一係合部が形成されている。オルゴール１は、自動車の内部等のように、予め反復継続して揺れることが想定される床面Ｆに固定されることもあるが、自動車は、横揺れだけでなく、縦揺れすることも当然ある。このように床面Ｆが縦揺れする環境で使用しても、本体部２からコイルバネ３ａが抜けないようにすることができ、継続して使用することができる。
【００７２】
さらに、第一係合部が、第一係合突起２ｉと第二係合突起２ｊとにより形成されているので、コイルバネ３ａを簡単に本体部２に係合させることができる。
【００７３】
さらにまた、揺動部３が比較的簡単に用意できるコイルバネ３ａを有するので、オルゴール１を簡単に製造することができる。
【００７４】
また、基盤部４は、揺動部３の他端側と軸方向に係合する第二係合部が形成されていることにより、床面Ｆが縦揺れする環境で使用しても、基盤部４からコイルバネ３ａが抜けないようにすることができ、継続して使用することができる。
【００７５】
さらに、基盤部４には、永久磁石４ｒが当接部４ｃに固定されているので、床面Ｆが振動する環境で継続して安定的に使用することができる。
【００７６】
＜オルゴール１の製造方法＞
次に、オルゴール１の製造方法について説明する。
オルゴール１の製造方法は、本体部２とコイルバネ３ａを連結させる工程と、コイルバネ３ａと基盤部４を連結させる工程を含む。以下に、各工程について説明する。
なお、以下に説明する製造方法は、一例であり、これに限定されない。また、既に本体部２に音発生手段５を設置してあるものとし、基盤部４には収容物４ｊが封入されているものとする。
【００７７】
＜本体部２とコイルバネ３ａを連結させる工程＞
最初に、本体部２とコイルバネ３ａを連結させる工程について説明する。
本工程は、コイルバネ３ａを取付孔２ｇに挿入する工程と、コイルバネ３ａと本体部２をはんだ付けで固定する工程と、を有する。
まず、コイルバネ３ａを取付孔２ｇに挿入する工程について説明する。
初めに、コイルバネ３ａの一端３ｂを取付孔２ｇに挿入して、コイルバネ３ａが第一係合突起２ｉ又は第二係合突起２ｊと当接させる。そして、この状態でコイルバネ３ａを時計方向に回して、コイルバネ３ａの一端３ｂが、第一係合突起２ｉの一端２ｉａ、又は第二係合突起２ｊの一端２ｊａと当接させる。さらに時計方向に回転させると、例えば、コイルバネ３ａの一端３ｂが一端２ｉａと当接した場合には、第一係合突起２ｉの上側の面にガイドされて、一端３ｂが他端２ｉｂに達する。これにより、コイルバネ３ａが取付孔２ｇに係合される。
【００７８】
次に、コイルバネ３ａと本体部２をはんだ付けで固定する工程について説明する。
コイルバネ３ａを本体部２に係合させることにより形成された溝２ｐの内部に、熱可塑性樹脂２ｒを充填させる。これにより、コイルバネ３ａを本体部２に固定することができる。
【００７９】
＜コイルバネ３ａと基盤部４を連結させる工程＞
次に、コイルバネ３ａと基盤部４を連結させる工程について説明する。
初めに、コイルバネ３ａを筒部３ｄに挿入する。そして、その状態で、コイルバネ３ａの本体部２に固定されている側とは反対側の一端３ｃから、コイルバネ３ａの内側に大径部４ａが挿入され、さらに小径部４ｂが挿入される。つまり、コイルバネ３ａの一端３ｃが当接部４ｃと当接又は当接部４ｃの近傍に位置するまで挿入される。これにより、コイルバネ３ａを基盤部４に固定することができる。
これにより、本体部２が形成され、オルゴール１が完成する。
【００８０】
＜オルゴール１の固定方法＞
次にオルゴール１の固定方法について、下記の使用例を挙げて説明する。
この使用例において、オルゴール１は、通常の使用において床面Ｆが揺れないものに固定される。具体的には、オルゴール１が、机の天板を床面Ｆとして、固定される例を挙げて説明する。なお、机は、磁性を有する金属材料により形成されている。
【００８１】
まず、オルゴール１を床面Ｆである机の天板に着脱可能に固定する方法について説明する。
使用者は、基盤部４の下側の面を天板に当接させる。それにより、基盤部４の収容空間４ｄに収容された永久磁石４ｒと磁性を有する金属材料により形成された天板との間に発生する磁気吸引力により、基盤部４が床面Ｆである天板に固定される。
【００８２】
＜オルゴール１の使用状況＞
次に、オルゴール１の使用状況について図５を用いて説明する。なお、図５は、オルゴール１の使用状態における音発生手段５の状態の説明のため、本体部２のみが縦断面図で記載されている。
オルゴール１は、上述したように、オルゴール１から発生する音を楽しむことを目的として使用される場合と、オルゴール１から発生する音により使用者又は第三者に何らかの情報を伝達することを目的として使用される場合が想定される。
【００８３】
まず、オルゴール１から発生する音を楽しむことを目的として使用される場合について説明する。この使用例において、オルゴール１は、地震等の想定外の場合を除いて床面Ｆが動かない机の天板に固定されているので、本体部２が外力により揺動して音が発生する。
具体的には、オルゴール１は、図５（ａ）に示す状態から、外部からの気流や使用者による押圧等により、図５（ｂ）に示すように、半径方向の３６０°いずれかの方向に揺動する。そして、その後に揺動部３により元の位置に戻り、図５（ｃ）に示すように、その反動により元の位置を通過して反対側へ揺動した後に、元の位置に戻る。このように、オルゴール１は、自動復帰式の揺動部３により、この規則的な動作を数回繰り返した後、元の位置で停止する。そして、本体部２の揺動により打撃槌部５ｈが振動発音棒５ａ〜５ｆに何れかに当たり、音が発生する。
【００８４】
次に、オルゴール１から発生する音により使用者に何らかの情報を伝達することを目的として使用される場合について説明する。
この使用例においては、使用者に所定の大きさの地震が発生したという情報を伝達するものとする。
この目的に使用されるオルゴール１は、一定以上の床面Ｆの揺れにより、音が発生するように調節されている。つまり、外部からの気流等の要因により音が発生しないように調節されている。
そして、所定の震度以上の地震が発生すると、床面Ｆが揺れて、本体部２が揺動して、オルゴール１から音が発生する。これにより、使用者に地震が発生したという情報を確りと伝達することができる。
また、オルゴール１は、床面Ｆに固定されていることにより、床面Ｆの位置が変わる場合を除いて、地震が発生しても固定されている位置が変わらないので、使用者が音の発生している位置を容易に認識することができる。そのため、第一装飾部２ｈに地震が発生した際の初期動作を表す文字や絵図が記載されている場合に、使用者は、その文字や絵図を容易に認識することができる。
【００８５】
〔第２実施形態〕
次に、本考案の揺動手段付きオルゴールの第２実施形態について説明する。なお、第１実施形態と同じ構成要素については、同じ符号を付してその説明を省略する。
【００８６】
本実施形態のオルゴール１Ａは、図６に示すように、第１実施形態の基盤部４が永久磁石４ｒにより床面Ｆに固定されるのに対し、基盤部６が吸盤６ｃにより固定される。
また、揺動部３は、コイルバネ３ａのみで形成されている、つまり、本実施形態では、コイルバネ３ａは、筒部３ｄに挿入されていない。
【００８７】
基盤部６は、図６に示すように、その下面が床面Ｆと当接する吸盤６ｃと、吸盤６ｃの上側の面から伸びる柱部６ａと、柱部６ａを半径方向に貫通する貫通孔６ｂと、を有する。
基盤部６の材料は、ゴムや樹脂等の吸盤の形成に通常使用されるものから適宜選択される。
柱部６ａは、本実施形態において、コイルバネ３ａを基盤部６に取付けるための取付部として機能する。
【００８８】
柱部６ａは、その外径が、コイルバネ３ａの内径よりも僅かに大きい。
貫通孔６ｂは、吸盤６ｃ側に位置している。これにより、本実施形態において、柱部６ａと貫通孔６ｂにより、コイルバネ３ａに挿入されると柱部６ａにくびれ部が形成され、このくびれ部がコイルバネ３ａと軸方向に係合する第二係合部として機能する。
具体的には、柱部６ａをコイルバネ３ａの内側に圧入することで、貫通孔６ｂが形成されている位置でコイルバネ３ａの内径が元に戻ることにより、コイルバネ３ａが貫通孔６ｂよりも上の柱部６ａと係合する。
【００８９】
＜オルゴール１Ａの固定方法＞
次に、オルゴール１Ａの固定方法について、下記の使用例を挙げて説明する。
この使用例において、オルゴール１は、予め床面Ｆが揺れることが想定されているものに固定される。具体的には、オルゴール１が、自動車のダッシュボードが床面Ｆとして、固定される例を挙げて説明する。
【００９０】
まず、オルゴール１Ａを自動車のダッシュボードに固定する方法について説明する。
使用者は、基盤部６の吸盤６ｃの下面を、自動車のダッシュボードに当接させる。そして、その状態で、吸盤６ｃをダッシュボードに押し付ける。これにより、基盤部６が床面Ｆであるダッシュボードに固定される。
【００９１】
＜オルゴール１の使用状況＞
次に、オルゴール１Ａの使用状況について説明する。
オルゴール１Ａも、オルゴール１と同様に、オルゴール１から発生する音を楽しむことを目的として使用される場合と、オルゴール１から発生する音により使用者又は第三者に何らかの情報を伝達することを目的として使用される場合がある。以下に、第１実施形態の異なる点について説明する。
【００９２】
まず、オルゴール１Ａから発生する音を楽しむことを目的として使用される場合について説明する。この使用例において、オルゴール１Ａは、通常の使用において床面Ｆが揺れる自動車のダッシュボードに固定されているので、第１実施形態の使用例のように、本体部２が外力により揺動して音が発生する他に、床面Ｆが揺れることにより本体部２が揺動して、音が発生する。
そして、オルゴール１Ａは、基盤部６により床面Ｆに着脱可能に固定されているので、床面Ｆが揺れても、固定されている位置から移動して床面Ｆから落ちない。このため、継続してオルゴール１が発する音を楽しむ事ができる。
【００９３】
次に、オルゴール１から発生する音により使用者に何らかの情報を伝達することを目的として使用される場合について説明する。
この使用例においては、急ブレーキや急発進がされた場合に、使用者に安全運転を意識させる情報を伝達させるものとする。
【００９４】
この目的に使用されるオルゴール１は、一定以上の床面Ｆの揺れにより、音が発生するように調節される。つまり、通常の自動車の運転により生じる床面Ｆの揺れでは音が発生しない。これにより、オルゴール１から音が発生することにより、使用者に安全運転を確りと意識させることができる。
【００９５】
本実施形態によれば、永久磁石４ｒで固定できないようなところでも固定することができる。
また、比較的狭い自動車のダッシュボードの上でも、そこから落ちることなく継続して使用することができる。
【００９６】
〔第３実施形態〕
次に、本考案の揺動手段付きオルゴールの第３実施形態について説明する。なお、第１実施形態と同じ構成要素については、同じ符号を付してその説明を省略する。
【００９７】
本実施形態のオルゴール１Ｂは、図７に示すように、第１実施形態の基盤部４が永久磁石４ｒにより床面Ｆに固定されるのに対し、基盤部７が粘着層７ｄにより固定される。
また、本体部２が、外包囲体８の内部に挿入されている。
【００９８】
基盤部７は、コイルバネ３ａの内側に挿入される大径部７ａと、大径部７ａの下側と繋がる小径部７ｂと、小径部７ｂの下側と繋がる当接部７ｃと、当接部７ｃの下面に形成された粘着層７ｄと、を有する。
【００９９】
当接部７ｃは、図８に示すように、平板状に形成されている。当接部７ｃは、熱可塑性樹脂で形成されている。
【０１００】
当接部７ｃの下側の面に粘着層７ｄが形成されている。粘着層７ｄは、両面テープや粘着剤により形成されている。
【０１０１】
外包囲体８は、本体８ａと、本体８ａの表面に第二装飾部８ｂと、本体８ａの下側に本体部２が収容される収容部８ｃと、を有している。
【０１０２】
本体８ａは、球状に形成されている。
本体８ａは、軽い素材で形成されていればよく、ゴムや合成樹脂を発泡させてなる、いわゆる合成スポンジ製や、紙製にすることができる。合成樹脂製としては、例えば、発泡スチロール製等が挙げられる。
【０１０３】
第二装飾部８ｂは、第一装飾部２ｈと同様に、使用者に美感を与えたり、情報を伝達したりするためのものである。
第二装飾部８ｂは、第一装飾部２ｈと同様に形成されている。
具体的には、第二装飾部８ｂは、筒部２ａの外周面に表装シートが貼られて形成されており、使用者に美感を与えるために絵図や、情報を伝達するために文字が、施されている。
【０１０４】
収容部８ｃは、本体部２の外径と同じ形状に形成されている穴である。具体的には、本体部２が円柱状に形成されているので、収容部８ｃは、本体部２と略同じ寸法の円柱状に形成されている。収容部８ｃには、本体部２が挿抜自在に挿入されている。
【０１０５】
＜オルゴール１Ｂの固定方法＞
次にオルゴール１Ｂの固定方法について、下記の使用例を挙げて説明する。
この使用例は、第２実施形態の使用例と同様に、自動車のダッシュボードが床面Ｆとして、固定される。
【０１０６】
まず、オルゴール１Ｂを自動車のダッシュボードに固定する方法について説明する。
使用者は、基盤部７の粘着層７ｄを自動車のダッシュボードに当接させる。そして、その状態で、当接部７ｃをダッシュボードに押し付ける。これにより、基盤部７が床面Ｆであるダッシュボードに固定される。
【０１０７】
＜オルゴール１Ｂの使用状況＞
次に、オルゴール１Ｂの使用状況について説明する。
本実施形態では、第２実施形態と異なり、本体部２が外包囲体８に挿入されるので、本体部２が揺動すると、外包囲体８も揺動することになる。
オルゴール１Ｂも、オルゴール１Ａと同様に、オルゴール１から発生する音を楽しむことを目的として使用される場合と、オルゴール１から発生する音により使用者又は第三者に何らかの情報を伝達することを目的として使用される場合がある。
【０１０８】
オルゴール１Ｂは、上記した２つの目的に応じて、外包囲体８の着脱させることができる。
具体的には、オルゴール１Ｂから発生する音を楽しむことを目的とする場合には、外包囲体８が装着されて本体部２が揺動しやすい状態で使用して、オルゴール１から発生する音により使用者又は第三者に何らかの情報を伝達することを目的とする場合には、外包囲体８を外すことにより、一定以上の揺れにより本体部２が揺動する状態で使用することができる。
【０１０９】
なお、本実施形態において、本体部２は、第一装飾部２ｈが形成されていなくてもよい。その場合でも、外包囲体８の第二装飾部８ｂにより、使用者に使用者に美感を与えたり、情報を伝達したりすることができる。
【０１１０】
また、外包囲体８は、球形でなくてもよく、自動車等の乗り物の形状、人形の形状、キャラクターの形状、その他の様々な形状にすることができる。
【０１１１】
さらに、本実施形態では、平板状の当接部７ｃは、下側の面に粘着層７ｄが形成されているが、粘着層７ｄを介して永久磁石４ｒが設けられていてもよい。
【０１１２】
これまで、第１実施形態、第２実施形態、及び第３実施形態を挙げて本考案を説明したが、本考案はこれらに限定されない。例えば、これまで揺動部３がコイルバネ３ａを有する実施形態を挙げて説明したが、本考案はこれに限定されない。例えば、可撓性を有する棒状の合成樹脂や金属により形成されていてもよい。
これにより、揺動部３と基盤部４を一体で形成することができ、部品点数を減らすことができる。
【０１１３】
また、上記の実施形態において、本体部２の底板部２ｆとコイルバネ３ａとにより、形成された溝２ｐに熱可塑性樹脂２ｒが充填された例を挙げて説明したが、本考案はこれに限定されない。溝２ｐに熱可塑性樹脂２ｒが充填されていなくてもよい。この場合には、本体部２を容易に交換することができる。また、底板部２ｆが金属製の場合は、はんだ付けにより、溝２ｐの内部にはんだが充填されて、底板部２ｆにコイルバネ３ａが固定されていてもよい。
【０１１４】
さらに、上記の実施形態において、振動発音棒５ａ〜５ｆは、振動発音棒５ａから順に、振動発音棒５ｆまで、時計回りに配置されているが、本考案はこれに限定されない。振動発音棒５ａ〜５ｆが反時計回りに配置されていてもよい。また、振動発音棒の数は、適宜変更することができる。
【０１１５】
また、上記の実施例において、揺動手段付きオルゴールから発生する音を楽しむことを目的として使用される場合と、揺動手段付きオルゴールから発生する音により使用者又は第三者に何らかの情報を伝達することを目的として使用される場合とに分けて説明したが、両方を目的として使用されてもよい。
例えば、乳児や幼児が使用する歩行器にオルゴール１を固定した場合には、乳児や幼児は、歩行したときに発生する音や揺動する本体部２や外包囲体８を見て楽しむ事ができ、保護者は、音により乳児や幼児が、歩行していることや、歩行している場所を知る事が出来る。
【産業上の利用可能性】
【０１１６】
本考案は、以上のように構成したので、比較的狭い場所でも使用できる揺動手段付きオルゴールを可能にする。
【符号の説明】
【０１１７】
１、１Ａ、１Ｂ  オルゴール
２          本体部
２ａ        筒部
２ｂ        天板部
２ｃ        挿入孔
２ｄ        吊下げ部材
２ｅ        挿通孔
２ｆ        底板部
２ｇ        取付孔
２ｈ        第一装飾部
２ｉ        第一係合突起
２ｉａ      一端
２ｉｂ      他端
２ｊ        第二係合突起
２ｊａ      一端
２ｊｂ      他端
２ｋ        挿入穴
２ｓ        小径部
２ｍ        大径部
２ｎ        段差
２ｐ        溝
２ｒ        熱可塑性樹脂
３          揺動部
３ａ        コイルバネ  
３ｂ        一端
３ｃ        一端
３ｄ        筒部
３ｅ        収容部
４          基盤部
４ａ        大径部
４ｂ        小径部
４ｃ        当接部
４ｄ        収容空間
４ｅ        収容口
４ｆ        取付部
４ｇ        隆起部
４ｈ        柱部
４ｉ        ねじ穴
４ｊ        収容物
４ｋ        ケース
４ｍ        上面
４ｎ        側壁
４ｐ        係合孔
４ｒ        永久磁石
４ｓ        挿通孔
４ｔ        小径部
４ｕ        大径部
４ｖ        皿ばね座金
４ｗ        ねじ
４ｘ        テープ
５          音発生手段
５ａ〜５ｆ  振動発音棒
５ｈ        打撃槌部
５ｉ        吊り紐
６          固定部
６ａ        柱部
６ｂ        貫通孔
６ｃ        吸盤
７          支持部
７ａ        大径部
７ｂ        小径部
７ｃ        当接部
７ｄ        粘着層
８          外包囲体
８ａ        本体
８ｂ        第二装飾部
８ｃ        収容穴
Ｆ          床面
【図１】
0003220155.tif 000003
【図２】
0003220155.tif 000004
【図３】
0003220155.tif 000005
【図４】
0003220155.tif 000006
【図５】
0003220155.tif 000007
【図６】
0003220155.tif 000008
【図７】
0003220155.tif 000009
【図８】
0003220155.tif 000010